(57)【要約】 【課題】  従来のサイドノック式筆記具にあっては、ノック駒の径方向への移動量（以下：ノックストローク）を大きくしようとすると、ノック駒を押圧した際に、そのノック駒の側壁が軸筒の内壁に当接し、動きが制限されてしまうため、ノックストロークを大きくすることが出来なかった。【解決手段】  軸筒の側面に開口部を形成し、その開口部にノック駒を配置すると共に、前記軸筒の内部に筆記体を配置し、その筆記体を前記ノック駒の押圧操作によって前記軸筒より出没可能に配置したサイドノック式筆記具であって、前記ノック駒は側面部を有し、その側面部が入り込むことが可能な溝又は貫通孔を前記軸筒の開口部の対向面に形成したことを特徴とするサイドノック式筆記具。【選択図】  図１
2014233884.tif 000002
【特許請求の範囲】
【請求項１】
軸筒の側面に開口部を形成し、その開口部にノック駒を配置すると共に、前記軸筒の内部に筆記体を配置し、その筆記体を前記ノック駒の押圧操作によって前記軸筒より出没可能に配置したサイドノック式筆記具であって、前記ノック駒は側面部を有し、その側面部が入り込むことが可能な溝又は貫通孔を前記軸筒の開口部の対向面に形成したことを特徴とするサイドノック式筆記具。
【請求項２】
前記軸筒の溝又は貫通孔を２つ形成したことを特徴とする請求項１に記載のサイドノック式筆記具。
【請求項３】
前記筆記体をシャープペンシルの芯としたことを特徴とする請求項１又は請求項２に記載のサイドノック式筆記具。
【請求項４】
前記軸筒の内部に前記筆記体の繰り出しユニットを配置し、その繰り出しユニットにスライド部材を被せ、前記ノック駒の押圧操作によって前記スライド部材及び繰り出しユニットを作動せしめたことを特徴とする請求項１乃至請求項３のいずれか１項に記載のサイドノック式筆記具。
【請求項５】
前記スライド部材にカム面を形成すると共に、そのカム面と当接可能なカム面を前記ノック駒に形成し、前記スライド部材のカム面の後方側の一部を連結部によって連結したことを特徴とする請求項４に記載のサイドノック式筆記具。  
【発明の詳細な説明】
【技術分野】
【０００１】
本発明は、サイドノック式筆記具に関する。
【背景技術】
【０００２】
従来から、軸筒の内部に配置されたシャープペンシルの芯やボールペンなどの筆記体を前記軸筒より出没可能な筆記具において、前記軸筒の側壁に窓孔を形成し、その窓孔に前記軸筒の径方向に移動し得るノック駒を配置し、そのノック駒を押圧することで、前記筆記体に配置されたスライダーとともに前記筆記体が軸線方向に前進することで、その筆記体が出没するサイドノック式筆記具はよく知られている。そのサイドノック式筆記具の一例が、特開平１１−２１６９８８号公報（特許文献１）に記載されている。
【先行技術文献】
【特許文献】
【０００３】
【特許文献１】特開平１１−２１６９８８号公報
【発明の概要】
【発明が解決しようとする課題】
【０００４】
前記特許文献１に記載の従来技術にあっては、ノック駒の径方向への移動量（以下：ノックストローク）を大きくしようとすると、ノック駒を押圧した際に、そのノック駒の側壁が軸筒の内壁に当接し、動きが制限されてしまうため、ノックストロークを大きくすることが出来なかった。
【課題を解決するための手段】
【０００５】
本発明は、上記問題点を鑑みてなされたものであり、軸筒の側面に開口部を形成し、その開口部にノック駒を配置すると共に、前記軸筒の内部に筆記体を配置し、その筆記体を前記ノック駒の押圧操作によって前記軸筒より出没可能に配置したサイドノック式筆記具であって、前記ノック駒は側面部を有し、その側面部が入り込むことが可能な溝又は貫通孔を前記軸筒の開口部の対向面に形成したことを要旨とする。
【発明の効果】
【０００６】
本発明は、軸筒の側面に開口部を形成し、その開口部にノック駒を配置すると共に、前記軸筒の内部に筆記体を配置し、その筆記体を前記ノック駒の押圧操作によって前記軸筒より出没可能に配置したサイドノック式筆記具であって、前記ノック駒は側面部を有し、その側面部が入り込むことが可能な溝又は貫通孔を前記軸筒の開口部の対向面に形成したので、ノックストロークを大きくすることが出来る。
【図面の簡単な説明】
【０００７】
【図１】本発明の第１実施例を示す縦半断面図。
【図２】図１のＡ−Ａ断面図。
【図３】本発明の第１実施例の前軸７の斜視図。
【図４】本発明の第１実施例の前軸７の縦断面図。
【図５】本発明の第１実施例のノック駒１２の側面図。
【図６】図５のＢ−Ｂ断面斜視図。
【図７】本発明の第１実施例のテーパースライド部材１０の斜視図。
【図８】図１のノック駒１２を押圧後の縦断面図。
【図９】図８のＣ−Ｃ断面図。
【図１０】本発明の第１実施例の後軸部３の分解斜視図。
【図１１】本発明の第２実施例を示す縦半断面図。
【図１２】図１１の前軸部１９前方の拡大図。
【図１３】図１１のＤ−Ｄ断面図。
【図１４】本発明の第２実施例の中軸ユニット２０の縦半断面図。
【図１５】本発明の第２実施例の前軸２１の斜視図。
【図１６】本発明の第２実施例のテーパースライド部材２２の斜視図。
【図１７】本発明の第２実施例のノック駒２３の側面図。
【図１８】図１７のＥ−Ｅ断面斜視図。
【図１９】図１１のノック駒２３を押圧後の縦断面図。
【図２０】図１９のＦ−Ｆ断面図。
【図２１】本発明の第３実施例を示す縦半断面図。
【図２２】図２１のＧ−Ｇ断面図。
【図２３】本発明の第３実施例の前軸３１の斜視図。
【図２４】本発明の第３実施例のテーパースライド部材３２の斜視図。
【図２５】本発明の第３実施例のノック駒３３の側面図。
【図２６】図２５のＨ−Ｈ断面斜視図。
【図２７】図２１のノック駒３３を押圧後の縦断面図。
【図２８】図２７のＩ−Ｉ断面図。
【図２９】本発明の第４実施例を示す縦半断面図。
【図３０】図２９のＪ−Ｊ断面図。
【図３１】本発明の第４実施例の前軸３６の斜視図。
【図３２】本発明の第４実施例のテーパースライド部材３７の斜視図。
【図３３】本発明の第４実施例のノック駒３８の側面図。
【図３４】図３３のＫ−Ｋ断面斜視図。
【図３５】図２９のノック駒３８を押圧後の縦断面図。
【図３６】図３５のＬ−Ｌ断面図。
【図３７】本発明の第５実施例を示す縦半断面図。
【図３８】図３７のＭ−Ｍ断面図。
【図３９】本発明の第５実施例の前軸４１の斜視図。
【図４０】本発明の第５実施例のテーパースライド部材４２の斜視図。
【図４１】本発明の第５実施例のノック駒４３の側面図。
【図４２】図４１のＮ−Ｎ断面斜視図。
【図４３】図３７のノック駒４３を押圧後の縦断面図。
【図４４】図４３のＯ−Ｏ断面図。
【発明を実施するための形態】
【０００８】
作用について説明する。本発明は、軸筒の側面に開口部を形成し、その開口部にノック駒を配置すると共に、前記軸筒の内部にシャープペンシルの芯やボールペンなどの筆記体を配置し、その筆記体を前記ノック駒の押圧操作によって前記軸筒より出没可能に配置したサイドノック式筆記具であって、前記ノック駒は側面部を有し、その側面部が入り込むことが可能な溝又は貫通孔を前記軸筒の開口部の対向面に形成している。
このため、ノック駒を押圧した際にノック駒を押圧出来る距離が大きくなり、ノックストロークを大きくすることが出来る。
ノックストロークを大きくすることが出来るので、従来と軸筒の太さが同じ程度でも、スライダーとノック駒の傾斜面の角度を大きくすることができ、ノック圧の軽い筆記具とすることが出来る。また、傾斜角度を変えない場合でも、同じ軸筒の外径でノックストロークを大きくすることが出来るため、ノックストロークが本構成のステンパイプ固定式より必要なステンパイプが収納可能なスライド式でも軸筒の外径を太くすることなく対応可能となり、ともすれば軸筒の外径を細くすることも出来る。
【０００９】
本実施例の第１実施例を図１〜図１０に示し、説明する。本実施例は、先部材部１と前軸部２と後軸部３から構成されている。
先部材部１はステンパイプ４、戻り止め５、先部材６の計３部品から構成されている。前軸部２は前軸７、チャック８、チャックリング９、テーパースライド部材（スライド部材）１０、スプリング１１、ノック駒１２、シャープペンシルの芯１３の計７部品から構成されている。後軸部３は後軸１４、クリップ１５、回転軸１６、消しゴム受け１７、消しゴム１８の計５部品から構成されている。
【００１０】
前記先部材部１の樹脂材質からなる先部材６の内径部には、金属材質からなるステンパイプ４とゴム状弾性体からなる戻り止め５が圧入・固定されている。また、先部材６の内面には、雌ねじ部６ａが形成されており、前記前軸７の前端に形成された雄ねじ部７ａと螺合されている。
前記前軸部２の前記前軸７の中間部の側面には、開口部７ｂが設けられ、その開口部７ｂには、断面形状がコ字型に形成されたノック駒１２が、軸線方向に対して垂直な方向に移動可能に配置されている。前記ノック駒１２の側面部１２ａにはそれぞれ外ツバ部１２ｂが形成されている。その外ツバ部１２ｂが形成されている部分のノック駒１２の幅は前記開口部７ｂの幅より大きく形成されており、前記ノック駒１２が前記前軸７の開口部７ｂから外れないようになっている。前記前軸７の開口部７ｂの対向面には、前記ノック駒１２を押圧した際に、前記ノック駒１２の側面部１２ａが入り込むことが可能な溝７ｃが形成されている。前記ノック駒１２の側面部１２ａの内側にはテーパー状の突部からなるカム面１２ｃが前後の位置に施されており、前記前軸７内に摺動自在に配置されたテーパースライド部材１０の前後に設けられたテーパー状のカム面１０ａと摺動可能に当接されている。また、前記ノック駒１２は前後非対称となっているが、組立性を考慮して前後対称としても良い。即ち、ノック駒１２を前後対称にすることによって、ノック駒１２の前後の方向を気にすることなく、前軸７に組み付けることが可能になるのである。
【００１１】
また、前記前軸７の内面には、前記テーパースライド部材１０が軸線方向に摺動自在に内包されているが、前軸７の内面に形成された平面部７ｄと前記テーパースライド部材１０に形成された平面部１０ｃによって相対的な回転が防止されている。そのテーパースライド部材１０の軸線方向の前方には、チャック８が圧入などの手段によって固定されており、そのチャック８の前方にはチャックリング９が囲繞している。符号１１はコイルスプリングなどの弾撥部材であり、前記チャック８やテーパースライド部材１０などを後方に向けて付勢している。
前記チャックリング９は、前軸７の前端面部よりも前方に位置しており、そのチャックリング９の前端部は、前軸７の前端開口部よりも大径なツバ部９ａが形成されている。そして、そのツバ部９ａは、前軸７の先端面７ｅと当接し、且つ、前記チャック８のテーパー面８ａと前記チャックリング９の内径部９ｂとが当接しているため、前記チャック８やテーパースライド部材１０の前軸７から後方へ向けての脱落が防止されている。
この時、前記スプリング１１は、圧入固定されて一体となったチャック８とテーパースライド部材１０を常に後方へ向けて付勢している。このように、前記前軸７とテーパースライド部材１０の間にスプリング１１が配置されているので、前方へも脱落しないようになっている。
前記芯１３はテーパースライド部材１０の内径部１０ｂに複数本内蔵されている。つまり、テーパースライド部材１０の内径部１０ｂが、芯１３の収納部となっている。その芯１３は前記内径部１０ｂの前方部を経てチャック８の内径部８ｂに達している。そして、そのチャック８が芯１３の外周面１３ａを把持しているが、その把持動作は前記スプリング１１がチャック８を後方に付勢することにより、チャック８がチャックリング９によって閉鎖せしめられることによってなされる。
【００１２】
組立時や芯を補充する時など、チャック８の内径部８ｂに芯１３が把持されていない場合、その把持されていない分、前記チャック８のテーパー面８ａの外径が若干、小さくなり、その小さくなった分、前記チャック８と一体になっているテーパースライド部材１０がスプリング１１の力により軸線方向で後退してしまう。
それと同時に前記テーパースライド部材１０のカム面１０ａと当接しているノック駒１２のカム面１２ｃによって前軸７の開口部７ｂに沿ってノック駒１２が軸線方向から垂直方向へ移動する。
【００１３】
前記後軸部３の後軸１４の外周には、クリップ受け部１４ａが形成されており、そのクリップ受け部１４ａにはクリップ１５が固定されている。また、回転軸１６は後軸１４に内包され、前記後軸１４の後端面１４ｂと前記回転軸１６の段部１６ａが当接し、且つ、前記後軸１４の係止部１４ｃと回転軸１６の凹部１６ｂの係合により前後不動で回転自在に配置されている。回転軸１６には、長手方向の対向する位置に案内溝１６ｄが形成されており、また、後軸１４の内面には、螺旋溝部１４ｅが形成されている。
さらに、前記回転軸１６の下方には、凸部１６ｃが形成されており、その凸部１６ｃは後軸１４の内径部１４ｄに対して軽く圧入されている。つまり、回転軸１６と後軸１４との相対的な回転は、前記凸部１６ｃの内径部１４ｄに対する軽圧入により摩擦抵抗が付与された状態での回転動作となるのである。この摩擦抵抗が付与されることによって、字消し時、消しゴム１８が容易には没入しないようになっている。前記消しゴム受け１７は回転軸１６に内包され、且つ、前記回転軸１６の案内溝１６ｄには消しゴム受け１７の凸部１７ａが摺動可能に嵌り込んでいる。
【００１４】
前記消しゴム受け１７に形成されている突起部１７ｂは、前記後軸１４の螺旋溝部１４ｅに嵌り込まれている。また、前記消しゴム１８は前記消しゴム１８の端部に形成されている係止部１８ａと前記消しゴム受け１７の内径部に形成されている係止部１７ｃにより固定されているが、前記消しゴム１８が弾性変形することによって着脱が可能となっている。
そして、前記前軸７と前記回転軸１６とを相対的に回転させることによって、消しゴム受け１７は螺旋状に回転しながら軸線方向を摺動し、前記消しゴム１８が出没することが可能となる。
【００１５】
前軸部２と後軸部３は、前軸７の後方の内径部に形成された凸状の４点リブ７ｆと後軸１４の前方に形成された全周凹部１４ｆとの嵌合によって連結されているものの、着脱が自在になっている。尚、芯１３を補充する場合には、前記後軸部３を後方へ引き抜き、次いで、芯１３をテーパースライド部材１０の内径部１０ｂに挿入・補充すれば良い。前記後軸部３を前軸部２へ再び嵌合させたい場合には、前軸７の４点リブ７ｆと後軸１４の全周凹部１４ｆを嵌合させればよい。
【００１６】
芯の繰り出し（出没）動作について説明する。ノック駒１２を押圧すると、ノック駒１２の側面部１２ａの内側に設けられたカム面１２ｃを介して、テーパースライド部材１０に設けられたカム面１０ａが押され、テーパースライド部材１０が前方へ移動する。
ここで、そのテーパースライド部材１０の前方には、芯の把持・解放を行うコレット式のチャック８が圧入・固定されている。そのチャック８の前方には、チャック８の拡開・閉鎖を行うチャックリング９が囲繞している。スプリング１１は前記チャック８やテーパースライド部材１０を後方に向け付勢すると共に、チャック８を閉鎖せしめ芯を保持させる。また、前軸７の前方に着脱自在に取り付けられた先部材部１の内部には、芯を軽く保持しその芯の後退を規制するゴム材質からなる戻り止め５が配置されている。
ノック駒１２を押圧し、テーパースライド部材１０が前方へ移動すると、一緒にチャック８が前方へ移動する。チャック８はチャックリング９が囲繞しているため、芯１３を把持したまま前進する。さらにノック駒１２を押圧するとチャックリング９のツバ部９ａが先部材６の段部６ｂにぶつかり前進を止められるが、押圧と共にチャック８は前進するため、チャック８はチャックリング９の囲繞から解放され、芯１３を解放する。芯１３が解放された後、ノック駒１２の押圧を解除すると、テーパースライド部材１０の後退と共にチャック８も後退する。この際、チャック８は再びチャックリング９が囲繞されるまで後退するが、芯１３は先部材部１の内部に配置されている戻り止め５に軽く保持されているため、芯１３の後退が規制され、その結果、芯１３が繰り出される。
【００１７】
このように、前記前軸７の開口部７ｂの対向面には、前記ノック駒１２を押圧した際に、ノック駒１２の側面部１２ａが入り込む空間として溝７ｃが形成されている。このため、前記ノック駒１２のノックストロークを大きくすることが出来、前記ノック駒１２の動きが前記前軸７の内壁により制限されることなく、前記ノック駒１２を押圧することが出来る。ノック駒１２の側面部１２ａが入り込む空間を溝とすることで、前軸の外観が変わらず、ノックストロークを大きくする効果を得ることが出来る。
尚、テーパースライド部材１０のカム面１０ａおよび、ノック駒１２のカム面１２ｃは平面上の斜面で構成されている。その斜面の角度が軸線に対して大きくなるほど、ノック駒１２を押圧した際の荷重（ノック圧）が小さくなるが、その分チャック８の拡開に必要なノック駒１２を押圧する距離（ノックストローク）を大きくする必要がある。ノックストロークを大きくすると、ノック駒１２の側面が、カム面の斜面の角度を大きくする前の前軸７の内径では、ノック駒１２の側面が必要なノックストロークを得る前に前軸７の内壁にぶつかってしまい、必要なノックストロークを得られないため、前軸の内径を大きくする必要があり、前軸の外径が太くなってしまい、外観や筆記感に影響が出る可能性があった。本実施例の場合には、前述の通り、前記前軸７の開口部７ｂの対向面には、ノック駒１２の側面部１２ａが入り込むことが可能な溝７ｃが形成されている。このため、前軸７の外径を変えることなく、前記テーパースライド部材１０のカム面１０ａとノック駒１２のカム面１２ｃの軸線に対する傾斜角度を大きくして、ノック圧が小さいサイドノック式シャープペンシルとすることができる。
また、傾斜角度を変えない場合、同じ前軸７の外径でノックストロークを大きくすることが出来るため、ノックストロークが本構成のステンパイプ固定式より必要なステンパイプが収納可能なスライド式でも前軸７の外径を太くすることなく対応可能となる。
本実施例では、前記前軸７の溝７ｃはノック駒１２の側面部１２ａに対応する位置に２か所設けられているが、１つの大きな溝としても良い。その場合にも同様にノックストロークを大きくすることが出来る。
本実施例では、筆記体がシャープペンシルの芯の場合で説明しているが、シャープペンシルの芯に限らず、例えばボールペンやタッチペンなどの筆記体でも良い。ボールペンの場合には、インキタンクの部分が本実施例におけるテーパースライド部材に該当する。
【００１８】
第２実施例を図１１〜図２０に示し説明する。本実施例は、前軸部１９と後軸部２４から構成されている。尚、第１実施例と同様の構成については、その記載を省略する。
前軸部１９はステンパイプ４、戻り止め５、先部材６、シャープペンシルの芯１３、チャック２５、チャックリング２６、スプリング２７、中子２８、芯タンク２９、前軸２１、テーパースライド部材（スライド部材）２２、ノック駒２３の計１２部品から構成されている。このうち、前記シャープペンシルの芯１３、チャック２５、チャックリング２６、スプリング２７、中子２８、芯タンク２９の計６部品により中軸ユニット（筆記体の繰り出しユニット）２０が構成されている。前記ステンパイプ４、戻り止め５、先部材６は、前記第１実施例の先部材部１と同様の構成となっている。
後軸部２４は、第１実施例の後軸部３と同様に、後軸１４、クリップ１５、回転軸１６、消しゴム受け１７、消しゴム１８の計５部品から構成されている。
【００１９】
前記中軸ユニット２０について詳述する。
中軸ユニット２０の構成は、中子２８の内面に、前記芯タンク２９が軸線方向に摺動自在に内包されているが、その芯タンク２９の軸線方向の前方には、チャック２５が圧入などの手段によって固定されており、そのチャック２５の前方にはチャックリング２６が囲繞している。符号２７はコイルスプリングなどの弾撥部材であり、前記チャック２５や芯タンク２９などを後方に向けて付勢している。
前記チャックリング２６は、中子２８の前端面部よりも前方に位置しており、そのチャックリング２６の前端部は、中子２８の前端開口部よりも大径なツバ部２６ａが形成されている。そして、そのツバ部２６ａは、中子２８の先端面２８ａと当接し、且つ、前記チャック２５のテーパー面２５ａと前記チャックリング２６の内径部２６ｂとが当接しているため、前記チャック２５や芯タンク２９の中子２８から後方へ向けての脱落が防止されている。
この時、前記スプリング２７は、圧入固定されて一体となったチャック２５と芯タンク２９を常に後方へ向けて付勢している。このように、前記中子２８と芯タンク２９の間にスプリング２７が配置されているので、チャック２５が前方へも脱落しないようになっている。
【００２０】
前軸部１９の組立について説明する。中軸ユニット２０の中子２８に設けられた先端の外ツバ部２８ｂを先部材６の内段部６ｃと前軸２１の前端面２１ａで挟み込むことで中軸ユニット２０を固定し、前軸２１の後方からテーパースライド部材２２をその先端開口部２２ａから挿入し、テーパースライド部材２２を中軸ユニット２０の芯タンク２９に被せる。前記テーパースライド部材２２の後端側は、芯タンク２９に被せた際に、芯タンク２９の後端面２９ａで止まるように壁２２ｂを設けているが、その壁２２ｂには後軸部２４を取り外して芯を入れるための芯挿通孔２２ｃが設けられている。尚、本実施例では、テーパースライド部材２２の後端部内面にリブ２２ｄを設けており、そのリブ２２ｄにより、芯タンク２９の後端部とテーパースライド部材２２とを嵌合させ、テーパースライド部材２２の抜け防止、ガタつき防止をしている。
さらに、テーパースライド部材２２のカム面２２ｅの後方には前軸２１の内径部断面と略同形状で少し小さめのツバ部２２ｆが設けられており、それぞれが異形となっているため、これにより、前軸２１に対するテーパースライド部材の回転を防止することが出来る。また、ツバ部２２ｆを設けることで、芯を入れる際に前軸２１とテーパースライド部材２２の隙間に芯１３を誤って入れてしまう恐れが無くなる。
前軸２１の中間部の側面には、開口部２１ｂが設けられ、その開口部２１ｂに、断面形状がコ字型に形成されたノック駒２３を、軸線方向に対して垂直な方向に移動可能に配置する。前記前軸２１の開口部２１ｂの対向面には、前記ノック駒２３を押圧した際に、前記ノック駒２３の側面部２３ａが入り込むことが可能な貫通孔２１ｃが形成されている。
以上により、前軸部１９が組み立てられるが、その前軸部１９に対して後軸部２４を実施例１と同様に前軸２１に嵌合によって連結させることにより、シャープペンシルの組み立てが完了する。
尚、本実施例のように芯タンク２９にテーパースライド部材２２を被せる構成と同様の構成にすれば、中軸ユニット２０を他の製品でも共通に使用できるため、芯を繰り出す部分の品質の安定化が図れる。
芯を繰り出すための作動方法に関しては、実施例１と同様にノック駒２３を押圧することで行われる。
【００２１】
前述の通り、前記前軸２１の開口部２１ｂの対向面には、前記ノック駒２３を押圧した際に、ノック駒２３の側面部２３ａが入り込む空間として貫通孔２１ｃが形成されている。このため、前記ノック駒２３のノックストロークを大きくすることが出来、前記ノック駒２３の動きが前記前軸２１の内壁により制限されることなく、前記ノック駒２３を押圧することが出来る。ノック駒２３の側面部２３ａが入り込む空間を貫通孔とすることで、前軸２１の肉厚分をすべてノックストロークに使用できるため、第１実施例のような溝よりノックストロークを大きくすることが出来る。
また、本実施例にあっては、芯タンク２９にテーパースライド部材２２を被せる２重構造のため、テーパースライド部材２２の径が太くなり、ノック駒２３の幅も大きくなるが、前軸２１の開口部２１ｂの対向面には、前記貫通孔２１ｃが形成されているため、前軸２１の内径の拡大を抑えつつ、ノックストロークを大きくすることが出来る。
尚、ノックストロークを大きく出来るため、前軸の外径を変えることなく、前記テーパースライド部材２２のカム面２２ｅとノック駒２３のカム面２３ｂの軸線に対する傾斜角度を大きくして、ノック圧が小さいサイドノック式シャープペンシルとすることができる。
また、傾斜角度を変えない場合、同じ前軸２１の外径でノックストロークを大きくすることが出来るため、ノックストロークが本構成のステンパイプ固定式より必要なステンパイプが収納可能なスライド式でも前軸２１の外径を太くすることなく対応可能となる。
前記前軸２１の貫通孔２１ｃはノック駒２３の側面部２３ａに対応する位置に２か所設けられているが、１つの大きな貫通孔としても良い。
本実施例では、筆記体がシャープペンシルの芯の場合で説明しているが、シャープペンシルの芯に限らず、例えばボールペンやタッチペンなどの筆記体でも良い。ボールペンの場合には、そのリフィルが本実施例の中軸ユニットに該当する。
【００２２】
第３実施例を図２１〜図２８に示し説明する。本実施例は、前軸部３０と後軸部３４から構成されている。尚、第１、第２実施例と同様の構成については、その記載を省略する。
前軸部３０はステンパイプ４、戻り止め５、先部材６、シャープペンシルの芯１３、チャック２５、チャックリング２６、スプリング２７、中子２８、芯タンク２９、前軸３１、テーパースライド部材（スライド部材）３２、ノック駒３３の計１２部品から構成されている。このうち、前記シャープペンシルの芯１３、チャック２５、チャックリング２６、スプリング２７、中子２８、芯タンク２９の計６部品により中軸ユニット（筆記体の繰り出しユニット）２０が構成されている。前記ステンパイプ４、戻り止め５、先部材６は、前記第１実施例の先部材部１と同様の構成となっている。
後軸部３４は、第１実施例の後軸部３と同様に、後軸１４、クリップ１５、回転軸１６、消しゴム受け１７、消しゴム１８の計５部品から構成されている。テーパースライド部材３２の形状以外は組立、作動方法は第２実施例と同様である。
【００２３】
テーパースライド部材３２は、２つのカム面３２ａの後方側の一部を連結部３２ｂによって連結しており、それら２つのカム面３２ａの後方を連結部３２ｂを残し、削り取った形状（空間部３２ｃ）となっている。連結部３２ｂの幅は中軸ユニット２０の芯タンク２９の外径と略同等かそれ以下の幅となっている。芯タンク２９にテーパースライド部材３２を被せた２重構造であるが、テーパースライド部材３２の空間部３２ｃを設けることで、その空間部３２ｃまで前記ノック駒３３のカム面３３ａが入り込むことが出来る。そして、第２実施例のような芯タンクとテーパースライド部材の２重構造と比べ、ノック駒３３の側面部３３ｂの幅を芯タンク２９の外径の幅で設定できるため、ノック駒３３の側面部３３ｂの幅を小さくすることができる。また、ノック駒３３の押圧時は芯タンク２９の外周面までノック駒３３を押圧出来るため、前軸から出るノックの高さを小さくすることが出来る。
【００２４】
本実施例にあっても、第２実施例と同様に、前記前軸３１の開口部３１ａの対向面には、前記ノック駒３３を押圧した際に、ノック駒３３の側面部３３ｂが入り込む空間として貫通孔３１ｂが形成されている。このため、前記ノック駒３３のノックストロークを大きくすることが出来、前記ノック駒３３の動きが前記前軸３１の内壁により制限されることなく、前記ノック駒３３を押圧することが出来る。
空間部３２ｃに挟まれたカム面３２ａの頂部３２ｄは芯タンク２９を覆っているが、上記のようにノック駒３３を押圧した際にカム面３２ａの頂部３２ｄが入り込む溝３３ｃをノック駒３３に設けているため、上記のようにノック駒３３を最後まで押圧することが出来る（図２６、図２７）。
前記前軸３１の貫通孔３１ｂはノック駒３３の側面部３３ｂに対応する位置に２か所設けられているが、１つの大きな貫通孔としても良い。
本実施例では、筆記体がシャープペンシルの芯の場合で説明しているが、シャープペンシルの芯に限らず、例えばボールペンやタッチペンなどの筆記体でも良い。ボールペンの場合には、そのリフィルが本実施例の中軸ユニットに該当する。
【００２５】
第４実施例を図２９〜図３６に示し説明する。本実施例は、前軸部３５と後軸部３９から構成されている。尚、第１、第２実施例と同様の構成については、その記載を省略する。
前軸部３５はステンパイプ４、戻り止め５、先部材６、シャープペンシルの芯１３、チャック２５、チャックリング２６、スプリング２７、中子２８、芯タンク２９、前軸３６、テーパースライド部材（スライド部材）３７、ノック駒３８の計１２部品から構成されている。このうち、前記シャープペンシルの芯１３、チャック２５、チャックリング２６、スプリング２７、中子２８、芯タンク２９の計６部品により中軸ユニット（筆記体の繰り出しユニット）２０が構成されている。前記ステンパイプ４、戻り止め５、先部材６は、前記第１実施例の先部材部１と同様の構成となっている。
後軸部３９は、第１実施例の後軸部３と同様に、後軸１４、クリップ１５、回転軸１６、消しゴム受け１７、消しゴム１８の計５部品から構成されている。テーパースライド部材３７の形状以外の組立、作動方法は、第２実施例、第３実施例と同様である。
【００２６】
本実施例のテーパースライド部材３７は、金型を上下の分割構造と出来るように、ノック駒３８がテーパースライド部材３７に被さる面側（上側）を長手方向に削り取った形状としたものである（図３２）。そのため、テーパースライド部材３７の金型構造を簡単にすることが出来るため、生産性の向上やコスト低減が出来る。
テーパースライド部材３７の後端側は芯タンク２９に被せた際に、芯タンク２９の後端面２９ａで止まるように壁３７ａが設けられており、壁３７ａには後軸部３９を取り外して芯を入れるための芯挿通孔３７ｂが設けられているが、芯挿通孔３７ｂも金型を上下の分割構造と出来るように、上側を削り取った形状としている。即ち、テーパースライド部材３７のカム面３７ｃの後方側の一部を側壁（連結部）３７ｄによって連結しており、そのテーパースライド部材３７のカム面３７ｃの後方の側壁３７ｄの高さを、芯タンク２９にテーパースライド部材３７を被せた状態で、芯タンク２９の外径以下の高さとしているため、第３実施例のように芯タンク２９の外径までノック駒３８を押圧することが出来る。また、第３実施例のように、ノック駒３８には、テーパースライド部材３７のカム面３７ｃの頂部３７ｅが入り込む溝３８ａを設けている（図３４、図３５）。
【００２７】
本実施例にあっても、第２実施例と同様に、前記前軸３６の開口部３６ａの対向面には、前記ノック駒３８を押圧した際に、ノック駒３８の側面部３８ｂが入り込む空間として貫通孔３６ｂが形成されている。このため、前記ノック駒３８のノックストロークを大きくすることが出来、前記ノック駒３８の動きが前記前軸３６の内壁により制限されることなく、前記ノック駒３８を押圧することが出来る。
側壁３７ｄに挟まれたカム面３７ｃの頂部３７ｅは芯タンク２９の外周面より高く形成されているが、上記のようにノック駒３８を押圧した際にカム面３７ｃの頂部３７ｅが入り込む溝３８ａをノック駒３８に設けているため、上記のようにノック駒３８を最後まで押圧することが出来る（図３４、図３５）。
前記前軸３６の貫通孔３６ｂはノック駒３８の側面部３８ｂに対応する位置に２か所設けられているが、１つの大きな貫通孔としても良い。
本実施例では、筆記体がシャープペンシルの芯の場合で説明しているが、シャープペンシルの芯に限らず、例えばボールペンやタッチペンなどの筆記体でも良い。ボールペンの場合には、そのリフィルが本実施例の中軸ユニットに該当する。
【００２８】
第５実施例を図３７〜図４４に示し説明する。本実施例は、前軸部４０と後軸部４４から構成されている。尚、第１、第２実施例と同様の構成については、その記載を省略する。
前軸部４０はステンパイプ４、戻り止め５、先部材６、シャープペンシルの芯１３、チャック２５、チャックリング２６、スプリング２７、中子２８、芯タンク２９、前軸４１、テーパースライド部材（スライド部材）４２、ノック駒４３の計１２部品から構成されている。このうち、前記シャープペンシルの芯１３、チャック２５、チャックリング２６、スプリング２７、中子２８、芯タンク２９の計６部品により中軸ユニット（筆記体の繰り出しユニット）２０が構成されている。前記ステンパイプ４、戻り止め５、先部材６は、前記第１実施例の先部材部１と同様の構成となっている。
後軸部４４は、第１実施例の後軸部３と同様に、後軸１４、クリップ１５、回転軸１６、消しゴム受け１７、消しゴム１８の計５部品から構成されている。テーパースライド部材４２の形状以外の組立、作動方法は、第２実施例、第３実施例、第４実施例と同様である。
【００２９】
テーパースライド部材４２は、第４実施例と同様に上側を長手方向に削り取り、壁４２ａ及び芯挿通孔４２ｂを設けた形状であり、２つのカム面４２ｃの後方側の一部を連結部４２ｅによって連結しているが、第３実施例のように、カム面４２ｃの後方に空間部４２ｄを設けており、連結部４２ｅの幅が中軸ユニット２０の芯タンク２９の外径と略同等かそれ以下の幅となっている。このような形状にすることで、前軸４０の内径の拡大を抑えつつ、ノック駒４３の幅を小さく出来、テーパースライド部材４２の金型構造を簡単にすることが出来る。
【００３０】
本実施例にあっても、第２実施例と同様に、前記前軸４１の開口部４１ａの対向面には、前記ノック駒４３を押圧した際に、ノック駒４３の側面部４３ｂが入り込む空間として貫通孔４１ｂが形成されている。このため、前記ノック駒４３のノックストロークを大きくすることが出来、前記ノック駒４３の動きが前記前軸４１の内壁により制限されることなく、前記ノック駒４３を押圧することが出来る。
空間部４２ｄに挟まれたカム面４２ｃの頂部４２ｆは芯タンク２９の外周面より高く形成されているが、上記のようにノック駒４３を押圧した際にカム面４２ｃの頂部４２ｆが入り込む溝４３ａをノック駒４３に設けているため、上記のようにノック駒４３を最後まで押圧することが出来る（図４２、図４３）。
前記前軸４１の貫通孔４１ｂはノック駒４３の側面部４３ｂに対応する位置に２か所設けられているが、１つの大きな貫通孔としても良い。
本実施例では、筆記体がシャープペンシルの芯の場合で説明しているが、シャープペンシルの芯に限らず、例えばボールペンやタッチペンなどの筆記体でも良い。ボールペンの場合には、そのリフィルが本実施例の中軸ユニットに該当する。
【符号の説明】
【００３１】
１      先部材部
２      前軸部
３      後軸部
４      ステンパイプ
５      戻り止め
６      先部材
６ａ    雌ねじ部
６ｂ    段部
６ｃ    内段部
７      前軸
７ａ    雄ねじ部
７ｂ    開口部
７ｃ    溝
７ｄ    平面部
７ｅ    先端面
７ｆ    ４点リブ
８      チャック
８ａ    テーパー面
８ｂ    内径部
９      チャックリング
９ａ    ツバ部
９ｂ    内径部
１０    テーパースライド部材（スライド部材）
１０ａ  カム面
１０ｂ  内径部
１０ｃ  平面部
１１    スプリング
１２    ノック駒
１２ａ  側面部
１２ｂ  外ツバ部
１２ｃ  カム面
１３    芯
１３ａ  外周面
１４    後軸
１４ａ  クリップ受け部
１４ｂ  後端面
１４ｃ  係止部
１４ｄ  内径部
１４ｅ  螺旋溝部
１４ｆ  全周凹部
１５    クリップ
１６    回転軸
１６ａ  段部
１６ｂ  凹部
１６ｃ  凸部
１６ｄ  案内溝
１７    消しゴム受け
１７ａ  凸部
１７ｂ  突起部
１７ｃ  係止部
１８    消しゴム
１８ａ  係止部
１９    前軸部
２０    中軸ユニット（筆記体の繰り出しユニット）
２１    前軸
２１ａ  前端面
２１ｂ  開口部
２１ｃ  貫通孔
２２    テーパースライド部材（スライド部材）
２２ａ  先端開口部
２２ｂ  壁
２２ｃ  芯挿通孔
２２ｄ  リブ
２２ｅ  カム面
２２ｆ  ツバ部
２３    ノック駒
２３ａ  側面部
２３ｂ  カム面
２４    後軸部
２５    チャック
２５ａ  テーパー面
２６    チャックリング
２６ａ  ツバ部
２６ｂ  内径部
２７    チャックスプリング
２８    中子
２８ａ  先端面
２８ｂ  外ツバ部
２９    芯タンク
２９ａ  後端面
３０    前軸部
３１    前軸
３１ａ  開口部
３２ｂ  貫通孔
３２    テーパースライド部材（スライド部材）
３２ａ  カム面
３２ｂ  連結部
３２ｃ  空間部
３２ｄ  頂部
３３    ノック駒
３３ａ  カム面
３３ｂ  側面部
３３ｃ  溝
３４    後軸部
３５    前軸部
３６    前軸
３６ａ  開口部
３６ｂ  貫通孔
３７    テーパースライド部材（スライド部材）
３７ａ  壁
３７ｂ  芯挿通孔
３７ｃ  カム面
３７ｄ  側壁
３７ｅ  頂部
３８    ノック駒
３８ａ  溝
３８ｂ  側面部
３９    後軸部
４０    前軸部
４１    前軸
４１ａ  開口部
４１ｂ  貫通孔
４２    テーパースライド部材（スライド部材）
４２ａ  壁
４２ｂ  芯挿通孔
４２ｃ  カム面
４２ｄ  空間部
４２ｅ  連結部
４２ｆ  頂部
４３    ノック駒
４３ａ  溝
４３ｂ  側面部
４４    後軸部
【図１】
2014233884.tif 000003
【図２】
2014233884.tif 000004
【図３】
2014233884.tif 000005
【図４】
2014233884.tif 000006
【図５】
2014233884.tif 000007
【図６】
2014233884.tif 000008
【図７】
2014233884.tif 000009
【図８】
2014233884.tif 000010
【図９】
2014233884.tif 000011
【図１０】
2014233884.tif 000012
【図１１】
2014233884.tif 000013
【図１２】
2014233884.tif 000014
【図１３】
2014233884.tif 000015
【図１４】
2014233884.tif 000016
【図１５】
2014233884.tif 000017
【図１６】
2014233884.tif 000018
【図１７】
2014233884.tif 000019
【図１８】
2014233884.tif 000020
【図１９】
2014233884.tif 000021
【図２０】
2014233884.tif 000022
【図２１】
2014233884.tif 000023
【図２２】
2014233884.tif 000024
【図２３】
2014233884.tif 000025
【図２４】
2014233884.tif 000026
【図２５】
2014233884.tif 000027
【図２６】
2014233884.tif 000028
【図２７】
2014233884.tif 000029
【図２８】
2014233884.tif 000030
【図２９】
2014233884.tif 000031
【図３０】
2014233884.tif 000032
【図３１】
2014233884.tif 000033
【図３２】
2014233884.tif 000034
【図３３】
2014233884.tif 000035
【図３４】
2014233884.tif 000036
【図３５】
2014233884.tif 000037
【図３６】
2014233884.tif 000038
【図３７】
2014233884.tif 000039
【図３８】
2014233884.tif 000040
【図３９】
2014233884.tif 000041
【図４０】
2014233884.tif 000042
【図４１】
2014233884.tif 000043
【図４２】
2014233884.tif 000044
【図４３】
2014233884.tif 000045
【図４４】
2014233884.tif 000046